(57)【特許請求の範囲】
【請求項１】
非イオン界面活性剤、Ｎ，Ｎ−ビス（２−ヒドロキシエチル）グリシン緩衝剤およびカゼインを含むイムノクロマトグラフィー用試薬組成物。
【請求項２】
非イオン界面活性剤が、ポリオキシエチレン（２３）ラウリルエーテルであることを特徴とする請求項１に記載のイムノクロマトグラフィー用試薬組成物。
【請求項３】
金ナノ粒子を標識物質として使用する検出系で用いることを特徴とする請求項１に記載のイムノクロマトグラフィー用試薬組成物。
【請求項４】
請求項１〜３のいずれかに記載のイムノクロマトグラフィー用試薬組成物を含むイムノクロマトグラフィー用検体処理液。
【請求項５】
検体が、鼻汁、鼻腔拭い液、咽頭拭い液または痰である請求項４に記載のイムノクロマトグラフィー用検体処理液。
【請求項６】
非イオン界面活性剤、Ｎ，Ｎ−ビス（２−ヒドロキシエチル）グリシン緩衝剤およびカゼインを含むイムノクロマトグラフィー用検体処理液を備えた、検出キット。
【請求項７】
非イオン界面活性剤、Ｎ，Ｎ−ビス（２−ヒドロキシエチル）グリシン緩衝剤およびカゼインを含む、検体中の検出対象物を検出するために用いるイムノクロマトグラフィー用展開液。
【請求項８】
非イオン界面活性剤、Ｎ，Ｎ−ビス（２−ヒドロキシエチル）グリシン緩衝剤およびカゼインを含むイムノクロマトグラフィー用展開液を、移動相を構成する展開液として使用するイムノクロマトグラフィー法。
【発明の詳細な説明】
【技術分野】
【０００１】
本発明は、非特異的反応が惹起しない高性能、高感度なイムノクロマトグラフィー用試薬組成物、イムノクロマトグラフィー用検体処理液、イムノクロマトグラフィー用展開溶媒およびそれを用いた測定方法に関する。
【背景技術】
【０００２】
近年、イムノクロマトグラフィー用ストリップ形式のイムノアッセイは、抗体の持つ特異的反応性を利用して、試料液中の抗原を検出する簡便な体外診断キットもしくは携帯用診断装置として重要性が高まっている。特に、妊娠検査キットは、一般用医薬品としても販売されている身近なイムノクロマトグラフィー装置である。また、最近では、インフルエンザウィルスや細菌といった病原体に対する感染の有無を検査するためのイムノクロマトグラフィー法に基づく簡便な検査具についても研究開発が進められてきた。
【０００３】
不溶性担体で抗体を標識したイムノクロマトグラフィー法検査薬は、操作が簡便であり、検査も短時間で終わることから汎用的に使われているが、一般的にＥＩＡと比較して感度が低く、陽性の場合に観察されるラインが明瞭でない等の問題点があった。
かかる問題点を解決するために、特許文献１のように、展開溶媒に糖または水溶性高分子化合物を存在させる方法が提案されているが、不溶性担体で抗体を標識したイムノクロマトグラフィー法に応用しても、該不溶性担体の凝集が起き、非特異反応が起きることがあり、展開速度が遅い等の問題点は解決できなかった。（特許文献１参照）
【０００４】
そのため、不溶性担体で抗体を標識したイムノクロマトグラフィー法に応用しても、不溶性担体の凝集が起きず、非特異反応が起きることがなく、展開速度が速い検査薬が切望されていた。
【０００５】
例えば、着色ラテックス粒子を用いるメンブレンアッセイ法より検体中の複数の被検出物を簡易に検査する方法において、２種類以上の被検出物に対してそれぞれに対応した異なる色調を有する着色ラテックス粒子を用いることにより行う方法が提案されている。特に偽陽性を生じ易い被検出物に対して有効であり、中でも２種類以上の被検出物が、Ａ型インフルエンザウィルス、Ｂ型インフルエンザウィルス、およびＲＳウィルスから選ばれる２種類以上である場合には特に有効であるとしている。（特許文献２参照）
【０００６】
メンブレンアッセイ法を用いた検体の簡易な検査方法において、感度を保ちながら偽陽性や詰まりを防止できる検体試料のろ過法が提案されている。（特許文献３参照）
特許文献２、３では、メンブレンアッセイ法により検出を行う際、鼻腔または咽頭拭い液、鼻腔吸引液等の生体試料が検体である場合に、検体を浮遊させる検体浮遊液として、ＭＥＳ緩衝液（グッド  バッファー）、ＴｒｉｔｏｎＸ−１００（非イオン界面活性剤）、及びタンパク質、例えばウシ血清アルブミンもしくはカゼイン等を含む浮遊液を用いている。
【０００７】
また、特許文献４では、イムノクロマトグラフィー法による試験具を用いた呼吸器感染症の検査方法において、鼻腔または咽頭拭い液、鼻腔吸引液から選択される検体を処理するための検体処理液として、界面活性剤（ＮＰ４０等）、還元剤（２−メルカプトエチルアミン塩酸塩等）、チオシアン酸化合物、キレート剤、およびＧｏｏｄ緩衝剤（ＰＩＰＥＳ等々）等を含有する処理液を用いている。（特許文献４参照）
しかしながら、特許文献２〜４に記載された発明においては、標識試薬としては主に着色ラテックス粒子を用いており、さらに、検体処理液としては従来から普通に用いられているものであって、検体処理液に着目したものではなかった。
【０００８】
メンブレンアッセイ法により検出を行う際、検体処理液に着目したものとして、特許文献５では、検体処理試薬組成物として、非イオン界面活性剤（ノニオンＭＮ−８１１等）、およびウシ血清アルブミン、さらにＴｒｉｓ−ＨＣｌ緩衝液を含む処理液を用いることにより、非特異反応の抑制を図っている。（特許文献５参照）
【０００９】
また、特許文献６では、検体浮遊液組成物として、非イオン界面活性剤（ＴｒｉｔｏｎＸ−１００等）、塩基性アミノ酸、被測定物を安定化するためのタンパク質（ウシ血清アルブミン等）、ｐＨを３〜８に保つための緩衝液（Ｔｒｉｓ−ＨＣｌ等）を含む処理液を用いることにより、偽陽性の発生を防止している。（特許文献６参照）
【００１０】
しかしながら、特許文献２〜６に記載された検体処理液や展開溶媒にあっては、不溶性担体の凝集や非特異反応の惹起が、十分に抑制できないという課題が依然としてあった。そのため、展開速度が速い検査薬として十分満足できるものとはいえず、さらなる改良が切望されていた。
【発明の概要】
【発明が解決しようとする課題】
【００１１】
本発明の目的は、イムノクロマトグラフィー法検査薬で使用する検体処理液または展開溶媒を改良することによって、従来技術に比して、非特異的反応を惹起しない高性能、高感度なイムノクロマトグラフィー用検査薬を提供することにある。特に、イムノクロマトグラフィー法検査薬で使用する検体処理液または展開溶媒を改良することによって、抗体固定金コロイドの凝集を起こすことなく、且つ、展開速度の速い検査薬を提供することにある。また、従来技術に比して、非特異的反応が惹起しない、迅速、簡便および高精度に検体（例えば、呼吸器疾患患者から採取される検体、特に、鼻汁、鼻腔拭い液または痰等）中の抗原（例えば、インフルエンザウィルス、アデノウィルス、ＲＳウィルス等々のウィルス）を検査できるイムノクロマトグラフィー装置を提供することにある。
さらに詳しくは、検体処理液または展開溶媒により処理をした検出試料を、検出キットの試料添加部位に滴下することによって、非特異的反応を惹起せずに、検体中の抗原と特異的に反応して迅速、簡便、高精度に検体検査ができる検出キットを提供することにある。
【課題を解決するための手段】
【００１２】
本発明は、イムノクロマトグラフィー装置により、検体を検出する際、イムノクロマトグラフィー法検査薬として使用するイムノクロマトグラフィー用試薬組成物、具体的には、検体処理液または展開溶媒に係り、その組成は、Ｎ，Ｎ−ビス（２−ヒドロキシエチル）グリシン（Ｇｏｏｄ  緩衝剤の１つであり、以下、「Ｂｉｃｉｎｅ」という）、非イオン界面活性剤およびカゼインを含有するものである。
【００１３】
本発明者等は、イムノクロマトグラフィー法検査薬で使用する検体処理液または展開溶媒として、Ｂｉｃｉｎｅ、非イオン界面活性剤およびカゼインを含有するイムノクロマトグラフィー用試薬組成物を使用することによって、抗体固定金コロイドの凝集を起こすことなく、且つ、展開速度の速い検査薬を提供することができることを初めて知見したものである。
本発明の検出系では、Ｂｉｃｉｎｅ、非イオン界面活性剤およびカゼインを含有するイムノクロマトグラフィー用試薬組成物を使用することによって、例えば、呼吸器疾患患者から採取される検体（特に、鼻汁、鼻腔拭い液または痰等）中の抗原（例えば、インフルエンザウィルス、アデノウィルス、ＲＳウィルス等々のウィルス）を、非特異的反応を抑制して、迅速、簡便および高精度に、検査できるイムノクロマトグラフィー装置を提供するものである。
また、本発明は、Ｂｉｃｉｎｅ、非イオン界面活性剤およびカゼインを含有するイムノクロマトグラフィー用検体処理液または展開溶媒により処理をした検出試料を、検出キットの試料添加部位に滴下することによって、非特異的反応を抑制して、検体中の抗原と特異的に反応して迅速、簡便、高精度に検体検査ができる検出キットを提供するものである。
【００１４】
本発明は、下記の（ａ）〜（ｈ）のイムノクロマトグラフィー用試薬組成物、それを使用する検体処理液およびイムノクロマトグラフィー用展開液、それを使用するイムノクロマトグラフィー装置、それを使用する検出キット、およびそれを使用するイムノクロマトグラフィー法を提供するものである。
（ａ）本発明の第１の特徴は、非イオン界面活性剤、Ｎ，Ｎ−ビス（２−ヒドロキシエチル）グリシン緩衝剤およびカゼインを含むイムノクロマトグラフィー用試薬組成物にある。
（ｂ）本発明の第２の特徴は、非イオン界面活性剤が、ポリオキシエチレン（２３）ラウリルエーテルであることを特徴とする（ａ）に記載のイムノクロマトグラフィー用試薬組成物にある。
（ｃ）本発明の第３の特徴は、金ナノ粒子を標識物質として使用する検出系で用いることを特徴とする（ａ）に記載のイムノクロマトグラフィー用試薬組成物にある。
【００１５】
（ｄ）本発明の第４の特徴は、（ａ）〜（ｃ）のいずれかに記載のイムノクロマトグラフィー用試薬組成物を含むイムノクロマトグラフィー用検体処理液にある。
（ｅ）本発明の第５の特徴は、検体が、鼻汁、鼻腔拭い液、咽頭拭い液または痰である（ｄ）に記載のイムノクロマトグラフィー用検体処理液にある。
（ｆ）本発明の第６の特徴は、非イオン界面活性剤、Ｎ，Ｎ−ビス（２−ヒドロキシエチル）グリシン緩衝剤およびカゼインを含むイムノクロマトグラフィー用検体処理液を備えた、検出キットにある。
（ｇ）本発明の第７の特徴は、非イオン界面活性剤、Ｎ，Ｎ−ビス（２−ヒドロキシエチル）グリシン緩衝剤およびカゼインを含む、検体中の検出対象物を検出するために用いるイムノクロマトグラフィー用展開液にある。
（ｈ）本発明の第８の特徴は、非イオン界面活性剤、Ｎ，Ｎ−ビス（２−ヒドロキシエチル）グリシン緩衝剤およびカゼインを含むイムノクロマトグラフィー用展開液を、移動相を構成する展開液として使用するイムノクロマトグラフィー法にある。
【発明の効果】
【００１６】
本発明のイムノクロマトグラフィー用試薬組成物は、Ｂｉｃｉｎｅ、非イオン界面活性剤およびカゼインを含有するものであり、これらの３成分を使用するイムノクロマトグラフィー用試薬組成物を検体処理液およびイムノクロマトグラフィー用展開液として使用することにより、抗体固定金コロイドの凝集を起こすことなく、且つ、展開速度の速い検査薬を提供することができるものである。
本発明の検出系では、Ｂｉｃｉｎｅ、非イオン界面活性剤およびカゼインを含有するイムノクロマトグラフィー用試薬組成物を使用することによって、例えば、呼吸器疾患患者から採取される検体（特に、鼻汁、鼻腔拭い液または痰等）中の抗原（例えば、インフルエンザウィルス、アデノウィルス、ＲＳウィルス等々のウィルス）を、非特異的反応を起こすことなく、迅速、簡便および高精度に、検査できるイムノクロマトグラフィー装置を提供するものである。その抑制機構の原理の詳細は不明であるが、鼻汁などの検体に含まれる高粘性タンパク質などを介して生じる標識物質間、あるいは標識物質とクロマトグラフ媒体間の非特異結合による凝集が抑制され、また標識物質とクロマトグラフ媒体上の検出試薬との非特異反応が惹起しないため、感度の低下がなく、正確に結果の判定が可能である。
【００１７】
また、本発明の検出キットは、Ｂｉｃｉｎｅ、非イオン界面活性剤およびカゼインを含有するイムノクロマトグラフィー用検体処理液により処理をした検出試料を、検出キットの試料添加部位に滴下することによって、非特異的反応を惹起することなく、検体中の抗原と特異的に反応して迅速、簡便、高精度に検体検査ができるという利点を有するものである。
また、本発明では、Ｂｉｃｉｎｅ、非イオン界面活性剤およびカゼインを含有するイムノクロマトグラフィー用展開液を、移動相を構成する展開液として使用することによって、迅速、簡便な検査ができるという特徴を有する。
【発明を実施するための最良の形態】
【００１８】
以下、本発明を詳細に説明する。
本発明の実施形態は、各種検体中の被検出物質である検出対象物（抗原）に各種の標識をつけた特異的に結合する結合物質（抗体）を、クロマト材上で反応させる抗原−抗体反応により複合体を形成させ、イムノクロマトグラフィー媒体上を吸収部位の方向へ展開させて、それを各種の検出手段により確認するという、イムノクロマトグラフィー法またはそれを応用した検出法に基づくものである。その抗原と最も特異的に反応して結合する抗体としては、それと特異的に結合する、例えばモノクローナル抗体およびポリクローナル抗体若しくはその他の公知の抗体を任意に使用することができる。
その標識としては、酵素、発色物質、蛍光物質、または放射性物質などを任意に使用することができるが、操作が簡単で、検定時間も短くするという、イムノクロマトグラフィー法の特色を出す為や、抗体、抗原の種類を考慮して決めればよい。
又、検出手段は、操作が簡単で、比較的短時間で判定できると言う、イムノクロマトグラフィー法の特色を表すためには、目視判定で、正確に判定できると言う性能を有することを特徴とするが、時間、精度などが要求される場合には、分光光度検出、放射線検出など、各種の検出手段を付帯させて、検出することができる。
【００１９】
そのイムノクロマトグラフィー法による検出をする際に、検出の精度、非特異反応に非常に影響する展開液について検討した結果、次のような実施形態が最も適していることを知見したものである。即ち、
本発明者等は、ｐＨ緩衝剤などを含む展開液を用いるイムノクロマトグラフィー検出方法において、生物学的親和性に基づく副反応を抑制したり、疎水結合や電気的相互作用を打ち消す効果のある物質、例えば界面活性剤、アンモニウム塩、およびｐＨ緩衝剤、さらに非特異反応を抑制するために種々の添加剤、例えば、抗原抗体反応の促進あるいは非特異反応の抑制のための蛋白質等々について、鋭意研究を重ねた結果、イムノクロマトグラフィー用試薬組成物としてＢｉｃｉｎｅ、非イオン界面活性剤およびカゼインを含有するものを使用することにより、例えば、呼吸器疾患患者から採取される検体（特に、鼻汁、鼻腔拭い液または痰等）中の抗原（例えば、インフルエンザウィルス、アデノウィルス、ＲＳウィルス等々のウィルス）を検出する際に、その抑制機構は不明であるが、生物学的親和性に基づく副反応や、疎水結合及び電気的相互作用に基づく非特異反応（ノイズ）を抑制し、一方で、抗原抗体反応を促進してシグナルを増強でき、抗体固定金コロイドの凝集が起こらないことを初めて知見し完成に至ったものである。また、本発明の試薬組成物をイムノクロマトグラフィー検出法に用いれば、鼻汁などの検体に含まれる高粘性タンパク質などを介して生じる標識物質間、あるいは標識物質とクロマトグラフ媒体間の非特異結合による凝集が抑制され、クロマト材の孔の目詰まりによる展開速度の低下を生じず、更に、高粘性タンパク質などによる粘度の増大も抑制するため、感度の低下を伴わず高速の展開が可能となり迅速な検体検出を可能とする。
【００２０】
本発明のイムノクロマトグラフィー用試薬組成物中に使用できる非イオン性界面活性剤としては、ポリオキシエチレンアルキルエーテル、ポリオキシエチレン／ポリオキシプロピレンアルキルエーテル、ポリオキシエチレンソルビタン脂肪酸エステル（商品名「Ｔｗｅｅｎ」シリーズ）、ポリオキシエチレンｐ−ｔ−オクチルフェニルエーテル（商品名「Ｔｒｉｔｏｎ」シリーズ）、ポリオキシエチレンｐ−ｔ−ノニルフェニルエーテル（商品名「ＴｒｉｔｏｎＮ」シリーズ）、アルキルポリグルコシド、脂肪酸ジエタノールアミド、アルキルモノグリセリルエーテル等を挙げることができる。なかでも、ポリオキシエチレンアルキルエーテルが好ましく、ポリオキシエチレン（２３）ラウリルエーテル（商品名「Ｂｒｉｊ３５」）、ポリオキシエチレン（２０）セチルエーテル（商品名「Ｂｒｉｊ５８」）が好ましく用いられる。特に好ましくは、ポリオキシエチレン（２３）ラウリルエーテル（商品名「Ｂｒｉｊ３５」）であり、ポリオキシエチレン（２３）ラウリルエーテル（商品名「Ｂｒｉｊ３５」）以外の非イオン性界面活性剤を実質的に含有しないことが望ましい。しかしながら、悪影響を及ぼさない範囲内においてその他の非イオン性界面活性剤、イオン性界面活性剤などを配合して使用することも可能である。
【００２１】
本発明のイムノクロマトグラフィー用試薬組成物中に使用する非イオン性界面活性剤の含有量としては、０．０１〜１０重量％の範囲であり、好ましくは０．０５〜５重量％の範囲でイムノクロマトグラフィー用試薬組成物に含有させることができる。０．０１重量％未満では、例えば０．００５重量％では正確な判定が行えない。０．０５重量％未満では、非特異的反応を抑制できず正確な判定がやや難しくなる傾向を示す。１０重量％以上、例えば１２重量％、１８重量％となると、必要以上の濃度となり、非特異的反応の抑制には好ましい影響を与えることがないばかりか、技術的に無意味になり、経済的でなく無駄となる。
【００２２】
本発明の抽出展開液などのイムノクロマトグラフィー用試薬組成物中に使用される塩としては、代表的なものとしては塩化ナトリウム、塩化カリウム、塩化カルシウム、塩化マグネシウム等々が挙げられる。好ましくは塩化ナトリウムである。
本発明の抽出展開液などのイムノクロマトグラフィー用試薬組成物中に使用される塩の濃度としては、１ｍＭ〜５００ｍＭの範囲であり、５ｍＭ〜２００ｍＭの範囲が好ましく、１０ｍＭ〜５０ｍＭの範囲がより好ましい。濃度が１ｍＭより低くなると、例えば０．１ｍＭと少なくなるとタンパク質の抽出作用が不十分になる。５００ｍＭ以上では、例えば、1Ｍ、２Ｍと多くなれば、技術的に無意味な量であり、必要以上の濃度となり経済的でなく無駄となる。
本発明のイムノクロマトグラフィー用試薬組成物中に使用される塩としては、１種のみならず２種以上配合して使用することもできる。
【００２３】
本発明のイムノクロマトグラフィー用試薬組成物中の１成分であるＢｉｃｉｎｅ緩衝剤の濃度としては、１０〜２００ｍＭの範囲が好ましく、１０〜１００ｍＭの範囲がより好ましく、３０〜１００ｍＭの範囲がさらに好ましい。濃度が１０ｍＭより低くなると緩衝作用が不十分になり、標識粒子の凝集抑制も不十分となる。２００ｍＭ以上では、必要以上の濃度となり経済的でなく無駄となる。また、緩衝液として、ｐＨ範囲７．７〜９．１のものを作るのが最適である。
本発明のイムノクロマトグラフィー用試薬組成物は、Ｂｉｃｉｎｅ以外の緩衝剤を実質的に含有しないことが望ましい。しかしながら、悪影響を及ぼさない範囲内においてその他の緩衝剤を配合して使用することもできる。
【００２４】
本発明のイムノクロマトグラフィー用試薬組成物中の１成分であるカゼインとしては、カゼイン単独が好ましいが、カゼインを含む試薬、例えば、脱脂粉乳であっても良い。カゼインの濃度としては、０．０１〜２０重量％の範囲が好ましく、０．１〜１０重量％の範囲がより好ましく、０．５〜５重量％の範囲がさらに好ましい。０．０１重量％未満では、非特異的反応を抑制できず正確な判定が行なえない。２０重量％以上では、必要以上の濃度となり経済的でなく無駄となる。
【００２５】
本発明のイムノクロマトグラフィー用試薬組成物には、生物学的親和性に基づく副反応を抑制したり、非特異的反応を抑制することが公知の添加剤、例えば、抗原抗体反応の促進あるいは非特異的反応を抑制するための蛋白質（例えば、牛血清アルブミン、ゼラチン等）、高分子化合物（例えば、ポリエチレングリコール、メチルセルロース、ポリビニルピロリドン、ポリビニルアルコール、デキストラン等）、イオン性界面活性剤又はポリアニオン（例えば、デキストラン硫酸、ヘパリン、ポリスチレンスルホン酸、コンドロイチン硫酸等）、あるいは、抗菌剤等々の１種もしくは２種以上を添加して使用することも可能かつ有効であって、何ら妨げるものではない。また、これらの抗原抗体反応の促進あるいは非特異的反応を抑制するための蛋白質、高分子化合物、イオン性界面活性剤又はポリアニオン、あるいは、抗菌剤等々の１種もしくは２種以上を、固定相を構成するクロマトグラフィー媒体上の、移動相の移動経路上に保持させておくことも可能かつ有効であって、何ら妨げるものではない。
【００２６】
本発明のイムノクロマトグラフィー用試薬組成物の使用方法としては、展開液として最適に用いることができるものであり、また、検体試料の処理液としても好適に使用することができるものである。さらに、上記の使用方法に限定されるものではなく、イムノクロマトグラフィー用試薬組成物の成分をイムノクロマトグラフィー媒体上の、移動相の移動経路上に設ける態様で使用することもできる。展開液としては、通常、溶媒として水を用い、これにＢｉｃｉｎｅ緩衝液、カゼイン、および非イオン界面活性剤を加える。加える順序は特に特定されず、同時に加えても差支えない。展開液として用いる場合には、検出する試料（検体試料）と展開液を予め混合したものを、サンプルパッド（試料添加部分）上に供給・滴下して展開させることもできるし、先に試料をサンプルパッド（試料添加部分）上に供給・滴下して後、展開液をサンプルパッド（試料添加部分）上に供給・滴下して展開させてもよい。検体試料処理液として使用する場合には、検体試料を予め処理液で希釈処理した処理液を、そのまま展開液としてサンプルパッド（試料添加部分）上に供給・滴下することにより使用できる。
【００２７】
本発明のイムノクロマトグラフィー用試薬組成物の成分をイムノクロマトグラフィー媒体上の、移動相の移動経路上に設けて使用する場合には、その方法としては、例えば、イムノクロマトグラフィー装置におけるサンプルパッド（試料添加部分）中へ塗布又は含浸させた後、乾燥させる方法により、サンプルパッド中へ担持または保持させる態様とすることができる。本発明のイムノクロマトグラフィー用試薬組成物をイムノクロマトグラフィー媒体上に保持または担持させる他の態様としては、試料添加部の端部と吸収部との間の任意の場所に、添加剤保持部を設けて、そこに保持させる態様とすることができる。例えば、試料添加部分、標識物質保持部やイムノクロマトグラフィー媒体上とすることもできる。なかでも試料添加部分および／または標識物質保持部位のみに担持または保持させる態様とすることができる。
【００２８】
本発明の検出対象物を含む試料（検体）としては、例えば、主として生体試料、即ち、血液、血清、血漿、尿、唾液、髄液、汗、涙、羊水、乳頭分泌液、鼻汁、痰、鼻腔又は咽頭拭い液、皮膚からの浸出液、組織や細胞及び糞便からの抽出物等々が挙げられる。
【００２９】
本発明の検出対象物としては、それと特異的に結合する、例えば、抗原−抗体反応のように特異的に結合する物質が存在するもしくは製造できるものであればよく、特に限定されない。検出対象物が完全抗原といったそれ自体が抗原性を有するものであっても、もしくはハプテン（不完全抗原）といったそれ自体が抗原性を有しなくても化学的変成物とすることにより抗原性を持つに至るものであってもよい。これらの検出対象物と特異的に結合する物質が存在するもしくは製造できるものであればよく、モノクローナル抗体若しくはポリクローナル抗体とすることができる。本発明の検出対象物を例示すれば、ペプチドホルモン（成長ホルモン（ＧＨ）、副腎皮質刺激ホルモン（ＡＣＴＨ）、メラミン細胞刺激ホルモン（ＭＳＨ）、プロラクチン、甲状腺刺激ホルモン（ＴＳＨ）、黄体形成ホルモン（ＬＨ）、卵胞刺激ホルモン（ＦＳＨ）、下垂体ホルモン、カルシユウム代謝調節ホルモン、膵ホルモン、消化管ホルモン、血管作用ホルモン、ヒト絨毛性性腺刺激ホルモン（ｈＣＧ）等の胎盤ホルモン、前立腺性酸性フォスファターゼ（ＰＡＰ）、前立腺特異抗原（ＰＳＡ）、アルカリ性フォスファターゼ、トランスアミナーゼ、トリプシン、ペプシノーゲン、α−フェトプロテイン（ＡＦＰ）、ガン胎児性抗原（ＣＥＡ）等のガン特異物質、免疫グロブリンＧ（ＩｇＧ）等の血清蛋白成分、リュウマチ因子、セロトニン、ウロキナーゼ、フェリチン、サブスタンＰ、エストロン等の卵胞ホルモン、便潜血、梅毒抗体、インフルエンザウィルス、アデノウィルス、ＲＳウィルス、ロタウィルス、ＨＢｓ抗原、ＨＢｓ抗体、クラミジア抗原、Ａ群β溶連菌抗原等の細菌抗原、プロゲストロン等の天然又は合成黄体ホルモン、テストステロン等の男性ホルモン、コルチゾール等の副腎皮質ホルモン、コレステロール、胆汁酸、強心性ステロイド、サポゲニン等のその他のステロイド類、エピネフリン、ドーパミン、生理活性アルカロイド類、アミノ基含有向精神薬類、ＴＲＨ等の低分子ペプチド類、ジヨードサイロニン等の甲状腺ホルモン類、プロスタグランジン類、ビタミン類、ペニシリン等の抗生物質類、その他生体内成分、生体内投与薬物およびその代謝産物等が挙げられる。好ましい検出対象物としては、ウィルスに対して用いられ、特に、インフルエンザウィルス、アデノウィルス、ＲＳウィルスに対して、より好ましく用いられる。
【００３０】
本発明の最適な検体は、鼻汁、鼻腔拭い液、咽頭拭い液又は痰である。これらの検体を本発明の検体処理液を使用して予め希釈処理することにより、呼吸器疾患患者から採取される抗原（ウィルス：主にインフルエンザウィルス、アデノウィルス、ＲＳウィルス）を被検出物質として的確に検出することができる。
【００３１】
検体中の被検出物質を検出するためのイムノクロマトグラフィー装置は、その構造およびその動作・検出手法は、公知である（例えば、特許文献５参照）。
従来のイムノクロマトグラフィー装置のサンプルパッド中へ、本発明の検体処理液を使用して予め検体を希釈処理して得られた検体試料を滴下して、イムノクロマトグラフィー媒体上を吸収部位の方向へ展開させて、抗原抗体反応により検体中の被検出物質の同定・定量等の検査をすることができる。
【００３２】
イムノクロマトグラフィー装置について、以下に説明をする。
通常、イムノクロマトグラフィー装置は、試料添加部位（１）（「サンプルパッド」ともいう）、標識物質保持部位（２）、クロマトグラフィー媒体（３）、検出部位（４）（「判定部」ともいう）、吸収部位（５）およびバッキングシート（６）から構成されている。
試料添加部位（１）は、試料が迅速に吸収されるが、保持力は弱く、速やかに反応部へと試料が移動していくような性質の、ガラス濾紙等の多孔質シートで構成されている。
さらに必要に応じて、非特異的反応をより効果的に抑制するために、サンプルパッド（１）中に、もしくはサンプルパッド（１）の端部と吸収部（５）との間のいずれかの領域部に、本発明に係るＢｉｃｉｎｅ、カゼイン、および非イオン界面活性剤の３成分を含むイムノクロマトグラフィー用試薬組成物を予め塗布または含浸させて後、乾燥させることにより保持または担持させておくことも可能である。
【００３３】
標識物質保持部位（２）には、標識成分によって試薬成分を標識した標識試薬を保持させてなる。標識成分としては、金属コロイド粒子、ラテックス粒子、酵素、蛍光化合物等々があり、なかでも金属コロイド粒子が最適である。試薬成分としては、分析物を認識する能力を有する粒子又は分子であり、好ましくはモノクローナル抗体又はポリクローナル抗体若しくはそのフラグメントである（第二試薬）。
金属コロイド粒子とは、銀、白金、ゲルマニウム、ロジウム、パラジウムのような貴金属の単粒子、複合粒子が任意に好ましく使用できる。特に金が色相の変化に敏感であり、最も適している。金属コロイド粒子の状態を見れば、平均粒径は１〜５００ｎｍ、好ましくは１０〜２５０ｎｍ、より好ましくは３５〜１００ｎｍ程度であり、媒体に対して、０．０００１〜０．０８重量％、好ましくは０．００２〜０．０６重量％程度の濃度で含むものが好適に使用される。本発明の金ナノ粒子とは、このような平均粒径を有する、金のナノ径の各種金コロイド粒子をさす。免疫学的測定においては、この金コロイドの粒径、粒度分布、色調などを考慮して、金コロイド粒子の表面に白金コロイド粒子を担持させた、金コロイド複合粒子とすることにより、免疫学的測定用の標識とすること、蛋白質の染色剤としての有用性を高める為に使用することができる。さらに、金属粒子表面に結合できる官能基と抗体と結合できる反応基を有するコロイド状金標識増幅剤のような、いわゆる増感剤を使用すれば測定感度を高めることができる。これらの各種貴金属のナノコロイドの入手法は、例えば、塩化貴金属酸、硝酸貴金属酸または硝酸貴金属酸の水溶液に公知の還元剤を添加するという慣用の手法で製造することができる。また、コロイドの粒度分布を動的光散乱法粒度分布計で測定した後の、平均粒径を求めるというような、各種慣用の方法で測定をすることができる。
【００３４】
クロマトグラフィー媒体（３）は、膜担体上に検出部位（４）を作成したものである。膜担体としては、毛細管現象により試料検体を吸収し移動させることができるものであれば、特に限定されるものではない。例えば、ニトロセルロース、酢酸セルロース、ナイロン、ポリエーテルスルホン、ポリビニルアルコール、ポリエステル、ガラス繊維、ポリオレフィン、セルロース、これらの混合繊維からなる人工ポリマーからなる群から選択される。
【００３５】
検出部位（４）には、モノクローナル抗体又はポリクローナル抗体若しくはそのフラグメント（第一試薬）が、ニトロセルロースのシート上に担持固定されている。
吸収部位（５）は、過剰の試料を迅速に吸収する能力を有する材料、ガラス濾紙等が用いられる。
バッキングシート（６）は、基材である。片面に粘着剤を塗布したり、粘着テープを貼り付けることにより、片面が粘着性を有し、該粘着面上に試料添加部位（１）、標識物質保持部位（２）、クロマトグラフィー媒体（３）、検出部位（４）、および吸収部位（５）の一部または全部が密着して設けられている。バッキングシート（６）は、粘着剤によって試料液に対して不透過性、非透湿性となるようなものであれば、基材としては、特に限定されない。
【００３６】
検出部位（４）に用いる試薬成分（第一試薬）および標識試薬に用いる試薬成分（第二試薬）は、その一方又は両方がモノクローナル抗体であってもよいし、ポリクローナル抗体であってもよいが、標識試薬に用いる試薬成分（第二試薬）は、測定感度等の点から特異性の高いモノクローナル抗体が好ましい。検出部位（４）に用いる試薬成分（第一試薬）としては、モノクローナル抗体でもポリクローナル抗体でも良い。
【００３７】
モノクローナル抗体およびポリクローナル抗体若しくはそのフラグメントは、公知であり、入手可能であり、公知の方法により調整することができる。抗体産生動物種としては、ヒト、マウス、ラット、ウサギ、ヤギ等々である。免疫グロブリンとしては、ＩｇＧ、ＩｇＭ、ＩｇＡ、ＩｇＥ、ＩｇＤのいずれでも良い。
モノクローナル抗体は、常法に従って、抗原（例えば、インフルエンザＡウイルス）で免疫したマウスの脾臓細胞と骨隋腫細胞をハイブリッドさせ、目的とする抗体を産生するハイブリドーマを選択し、このハイブリドーマから産生されてくるモノクローナル抗体を収得する。例えば、ケーラーとミルスタインの技法（Ｎａｔｕｒｅ  ２５６（１９７５）４９５−４９７）を参照。
ポリクローナル抗体は、常套手法により、抗原（例えば、インフルエンザＡウイルス）を産生動物（例えば、ヒト、マウス、ラット、ウサギ、ヤギ、ウマ等）に免疫して得た抗血清中から目的とする抗体を分離することにより得られる。
【００３８】
本発明の実施例においては、標識試薬に用いる試薬成分（第二試薬）としては、マウス由来抗インフルエンザＡモノクローナル抗体を用い、検出部位（４）に用いる試薬成分（第一試薬）としては、マウス由来抗インフルエンザＡモノクローナル抗体を用いた場合を記載しているが、これに限定されるものではない。マウス由来抗インフルエンザＡポリクローナル抗体を用いることもできる。
【００３９】
判定の原理を概説すると、
１．検体試料（検体を検体処理液で希釈処理したもの）を、サンプルパッド（１）上に、所定量(通常、０．１〜２ｍｌ)滴下する。検体試料が滴下されると、検体試料はサンプルパッド（１）に迅速に吸収されるが、速やかに試料と共に移動を始める。サンプルパッド（１）中にイムノクロマトグラフィー用試薬組成物が含浸されていた場合には、含浸されていたイムノクロマトグラフィー用試薬組成物は、検体試料の水分に溶解し、検体試料と共に移動を始める。
２．検体試料は、まず標識物質保持部位（２）へと移動する。ここを検体試料が通過する際、標識物質保持部位（２）に保持されていた標識試薬（第二試薬）が試料の水分に溶解し、試料と共に移動する。
【００４０】
３．ついで、検体試料の水分に溶解した標識試薬は、クロマトグラフィー媒体（３）上の検出部位（４）を通過する。ここでは、検体試料中に溶解しているイムノクロマトグラフィー用試薬組成物により非特異的結合反応は抑制され、抗原・抗体の特異的結合反応により、検体試料中に被検出物質（例えば、抗原）が存在する場合には、検出部位（４）に担持固定されている抗体と標識試薬とによってサンドイッチ状に挟まれるように特異的に反応結合して、検出部位（４）が着色する。検体試料中に被検出物質（例えば、抗原）が存在しない場合には、試料の水分に溶解した標識試薬は、クロマトグラフィー媒体（３）上の検出部位（４）を通過しても特異的結合反応が起こらないので、検出部位（４）が着色しない。
４．最後に、試料の水分は、吸収部位（５）へと移動する。
このように、検体試料中の被検出物質（例えば、抗原）の有無を正確に判定することができる。
【実施例】
【００４１】
以下、本発明の有効性を実施例を挙げて説明するが、本発明はこれらに限定されるものではない。
［実施例１＝Ｂｒｉｊ３５］
（１）クロマトグラフィー媒体上への判定部の作製
メンブレンとしてニトロセルロースからなるシート（ミリポア社製、商品名：ＨＦ１２０、３００ｍｍ×２５ｍｍ）を用いた。５重量％のイソプロピルアルコールを含むリン酸緩衝液（ｐＨ７．４）で１．０ｍｇ／ｍｌの濃度になるようにマウス由来抗インフルエンザＡモノクローナル抗体（第一抗体）を希釈した。この溶液１５０μＬをメンブラン上に１ｍｍの幅で塗布し、５０℃で３０分間乾燥させ、室温で一晩乾燥させ、クロマトグラフィー媒体を作製した。
【００４２】
（２）標識物質溶液の作製
金コロイド懸濁液（田中貴金属工業社製：ＬＣ４０ｎｍ）０．５ｍｌに、リン酸緩衝液（ｐＨ７．４）で０．０５ｍｇ／ｍｌの濃度になるように希釈したマウス由来抗インフルエンザＡモノクローナル抗体（第二抗体）を０．１ｍｌ加え、室温で１０分間静置した。次いで、１重量％の牛血清アルブミン（ＢＳＡ）を含むリン酸緩衝液（ｐＨ７．４）を０．１ｍｌ加え、更に室温で１０分間静置した。その後、十分撹拌した後、８０００×ｇで１５分間遠心分離を行い、上清を除去した後、１重量％のＢＳＡを含むリン酸緩衝液（ｐＨ７．４）を０．１ｍｌ加えた。以上の手順で標識物質溶液を作製した。
【００４３】
（３）イムノクロマトグラフィー用試験片の作製
上記作製した標識物質溶液３００μＬに３００μＬの１０重量％トレハロース水溶液と１．８ｍＬの蒸留水を加えたものを１５ｍｍ×３００ｍｍのグラスファイバーパッド（ミリポア社製）に均一になるように添加した後、真空乾燥機にて乾燥させ、標識保持部材を作製した。次に、バッキングシートから成る基材に、上記作製したクロマトグラフィー媒体、標識物質保持部材、試料を添加する部分に用いるサンプルパッド（ミリポア社製：３００ｍｍ×３０ｍｍ）、展開した試料や標識物質を吸収するための吸収パッドを貼り合わせた。そして、裁断機で幅が５ｍｍとなるように裁断し、イムノクロマトグラフィー用試験片とした。
【００４４】
（４）検体処理試薬の作製
２重量％カゼイン、２５ｍＭ  ＫＣｌ、１重量％Ｂｒｉｊ３５、０．０９５％アジ化ナトリウムを含む５０ｍＭのＢｉｃｉｎｅ緩衝液（ｐＨ８．５）を調製し、鼻汁・痰・咽頭ぬぐい液等の検体を処理するための試薬とした。
【００４５】
（５）測定
上記作製したイムノクロマトグラフィー用試験片を用いて、以下の方法で試料中のインフルエンザＡウィルスの存在の有無を測定した。
即ち、吸引トラップの片方の管を吸引ポンプに、もう片方の管をインフルエンザに感染していない人の鼻腔の奥部まで挿入し、吸引ポンプを陰圧にして鼻汁を採取した。採取した鼻汁を上記検体処理試薬で２０倍に希釈し、これを陰性検体試料とした。また、陰性検体試料に、蛋白濃度が２５ｎｇ／ｍＬ、５０ｎｇ／ｍＬとなるように市販の不活化インフルエンザＡウィルスを加えたものを陽性検体試料とした。陰性検体試料、陽性検体試料とも１５０μＬをイムノクロマトグラフィー用試験片のサンプルパッド上に載せて展開させ、１５分後に目視判定をした。テストラインの赤い線を確認できるものを「＋」、赤い線は確認できるが、非常に色が薄いものを「±」、赤い線を確認できないものを「−」とした。表１に結果を示す。
【００４６】
［実施例２＝Ｔｗｅｅｎ２０］
実施例１でＢｒｉｊ３５の代わりに、ポリオキシエチレン（２０）−ソルビタンモノラウリル酸エステル（Ｔｗｅｅｎ２０（商品名））を使用したこと以外は、実施例１と同様の方法で測定を行った。結果を表１に示す。
【００４７】
［実施例３＝Ｔｒｉｔｏｎ  Ｘ−１００］
実施例１でＢｒｉｊ３５の代わりに、ポリオキシエチレン（１０）−ｐ−ｔ−オクチルフェニルエーテル（ＴｒｉｔｏｎＸ−１００（商品名））を使用したこと以外は、実施例１と同様の方法で測定を行った。結果を表１に示す。
【００４８】
［比較例１＝Ｔｒｉｃｉｎｅ］
実施例１でＢｉｃｉｎｅの代わりに、二級アミンであるＴｒｉｃｉｎｅ（ｐＨ８．５）を使用したこと以外は、実施例１と同様の方法で測定を行った。結果を表１に示す。
【００４９】
［比較例２＝ＢＥＳ］
実施例１でＢｉｃｉｎｅの代わりに、三級アミンである２−｛Ｎ，Ｎ−ビス（２−ヒドロキシエチル）｝アミノエタンスルフォニックアシッド（Ｇｏｏｄ  緩衝剤の１つであり、以下、「ＢＥＳ」という）（ｐＨ８．０）を使用したこと以外は、実施例１と同様の方法で測定を行った。結果を表１に示す。
【００５０】
［比較例３＝ＢＳＡ］
実施例１でカゼインの代わりに、ＢＳＡを使用したこと以外は、実施例１と同様の方法で測定を行った。結果を表１に示す。
【００５１】
［比較例４＝Ｂｒｉｊ３５無］
実施例１でＢｒｉｊ３５を使用しなかったこと以外は、実施例１と同様の方法で測定を行った。結果を表１に示す。
【００５２】
【表１】
0005567932.tif 000002
【００５３】
以上のように、実施例１〜３においては、Ｂｉｃｉｎｅ、カゼイン、非イオン性界面活性剤（Ｂｒｉｊ３５、Ｔｗｅｅｎ２０、Ｔｒｉｔｏｎ  Ｘ−１００）を含有する検体処理試薬組成物を用いることで、抗体感作金コロイドの凝集が起こらず、非特異反応もなく、展開速度の速い展開液が実現した。
【００５４】
これに対して、緩衝剤としてＢｉｃｉｎｅに代えてＴｒｉｃｉｎｅを用いた以外は実施例１と同様の方法で測定を行った場合（比較例１）にあっては、２５ｎｇ／ｍＬ濃度の陽性検体試料では、赤い線は確認できるが、非常に色が薄かった。また、抗体感作金コロイドの凝集が起こってしまい、検査キットとして満足できるものではなかった。
【００５５】
Ｂｉｃｉｎｅの代わりに、ＢＥＳを用いた以外は実施例１と同様の方法で測定を行った場合（比較例２）では、２５ｎｇ／ｍＬ濃度の陽性検体試料では、赤い線は確認できず、５０ｎｇ／ｍＬ濃度の陽性検体試料に対して、赤い線は確認できるが、非常に色が薄かった。また、抗体感作金コロイドの凝集が起こってしまい、展開速度も遅く、明確な判定ができず、検査キットとして望ましいものではなかった。
【００５６】
カゼインの代わりに、ＢＳＡを使用したこと以外は、実施例１と同様の方法で測定を行った場合（比較例３）では、陰性検体試料に対して非特異反応が起き、また、抗体感作金コロイドの凝集が起きて、正確な判定ができなかった。
【００５７】
Ｂｒｉｊ３５を使用しなかったこと以外は、実施例１と同様の方法で測定を行った場合（比較例４）では、陰性検体試料に対して非特異反応が起き、また、抗体感作金コロイドの凝集が起き、さらに、展開速度も遅く、正確な判定ができなかった。
【００５８】
これらの結果から、イムノクロマトグラフィー法による測定を行うにおいて、緩衝液としてＢｉｃｉｎｅ、抗原抗体反応を促進して非特異反応を抑制する蛋白質としてカゼイン、および非イオン性界面活性剤という３成分を含む試薬組成物を、検体処理液として用いることにより、抗体感作金コロイドの凝集が起きず、展開速度も速く、正確な判定ができるという顕著な効果を奏することが明らかとなった。
【００５９】
次に、様々な濃度のＢｉｃｉｎｅを含む検体処理液を作成し、インフルエンザウイルスの検出測定を行った（実施例４〜５）。この測定において、検体処理試薬の作製に用いるＢｉｃｉｎｅの濃度以外は実施例１と同様の方法で行った。結果を表２に示す。
【００６０】
【表２】
0005567932.tif 000003
【００６１】
これらの結果から、実施例４〜５においては、Ｂｉｃｉｎｅの濃度を、２０ｍＭ、１００ｍＭに変えても、実施例１の場合と同様に、抗体感作金コロイドの凝集が起こらず、非特異反応がなく、展開速度の速い展開液であることが確認できた。
【産業上の利用可能性】
【００６２】
本発明の展開溶媒もしくは検体処理液は、金ナノ粒子を標識物質として使用し、抗原抗体反応を利用して被検出物質を検出するイムノクロマトグラフィー法に使用した場合、抗体感作金コロイドの凝集が起きず、展開速度も速いという優れた利点を有するため、高感度で迅速な臨床検査を可能にするという、利用可能性を有する。
【先行技術文献】
【特許文献】
【００６３】
【特許文献１】特開２０００−３２９７６７号公報
【特許文献２】特開２００８−０１４７５１号公報
【特許文献３】特開２００８−１２２３７２号公報
【特許文献４】特開２００８−１６４４０３号公報
【特許文献５】特開２００９−１８６３５９号公報
【特許文献６】特開２００６−０８４３５１号公報